(57)【要約】【課題】  液漏れ検査を適切に行えしかも無駄なく使用することが可能な漏れ検査用テープを提供する。【解決手段】  繰り出し自在に巻き取られ且つ切断自在な長尺状のテープ本体６の内面側が、測定対象物に貼り付け可能な粘着性を備え、そのテープ本体６を測定対象物に貼り付けた状態において測定対象物からの液体による濡れにより視覚的変化を生じ且つその視覚的変化を外部から読み取り可能な視覚的変化部が、テープ本体６に設けられている。【選択図】図２
2005055275.tif 000002
【特許請求の範囲】
【請求項１】
繰り出し自在に巻き取られ且つ切断自在な長尺状のテープ本体の内面側が、測定対象物に貼り付け可能な粘着性を備え、そのテープ本体を測定対象物に貼り付けた状態において測定対象物からの液体による濡れにより視覚的変化を生じ且つその視覚的変化を外部から読み取り可能な視覚的変化部が、前記テープ本体に設けられている漏れ検査用テープ。
【請求項２】
前記視覚的変化部が、液体による濡れにより視覚的変化を生じる紙片を、前記テープ本体の内面側にテープ本体長手方向に間隔を隔てて備えさせることにより構成され、前記テープ本体が、前記紙片の視覚的変化を外部から透視可能に構成されている請求項１記載の漏れ検査用テープ。
【請求項３】
前記紙片に対してテープ本体長手方向に隣接する位置に、前記紙片が濡れて視覚的変化を生じる前の視覚的特性と同じ視覚的特性を備える比較判断部を、前記紙片が濡れて視覚的変化を生じても視覚的変化を生じない状態で備えさせてある請求項２記載の漏れ検査用テープ。
【発明の詳細な説明】
【技術分野】
【０００１】
本発明は、液漏れを検査するのに用いる漏れ検査用テープに関する。
【背景技術】
【０００２】
かかる漏れ検査用テープは、給湯器に接続される給水管や出湯管等の配管類における漏れ検査を要する箇所や、その他の器具類において液漏れが起こる可能性がある箇所等の液漏れ検査を行うために用いるものである。
【０００３】
従来の漏れ検査用テープとして、短尺状の通気性フィルムの上面側に、色調の濃い着色層を設け、その着色層の上側に、濡れると透明になり乾燥すると不透明になる白色層を設け、さらに、前記短尺状の通気性フィルムの下面側に接着層を設けて構成されて、漏れ検査箇所に貼付したときに、液漏れにより白色層が透明になるに伴って着色層が見えることになる視覚的変化を外部より観察できるようにしたものがある（例えば、特許文献１参照。）。
【０００４】
【特許文献１】特開平１０−１８５７４２号公報（第２頁、第２図）
【発明の開示】
【発明が解決しようとする課題】
【０００５】
従来の漏れ検査用テープは、一定の長さの短尺状に構成されるものであるため、例えば配管の漏れ検査を要する箇所の検査を行うとき等において、適切に漏れ検査を行い難く、また、テープの一部を無駄にする虞があり、改善する必要があった。
配管の漏れ検査を例に挙げて説明を加えると、配管の漏れ検査を要する検査対象箇所とは、例えば給湯器に接続される配管ではその給湯器への接続箇所であり、漏れ検査用テープをそのような検査対象箇所となる配管に貼付することになり、そして、漏れ検査用テープを貼付する形態としては、漏れ検査用テープを配管の周方向に沿って巻き付ける形態が採られることになる。
【０００６】
このように、漏れ検査用テープを配管の周方向に沿って巻き付ける形態で貼付するにあたり、適正な貼付形態としては、漏れ検査用テープが配管の周長よりも少し長く構成されて、配管の全周を覆い且つテープ一端部が先に配管に貼付されたテープ他端部に少し重なるように貼付する形態にすると、配管の全周の漏れを適切に検出でき、しかも、漏れ検査用テープが配管から剥がれ難いものとなる。
【０００７】
しかしながら、従来の漏れ検査用テープは一定長さの短尺状であるため、周長が小さな小径の配管の漏れ検査において、漏れ検査用テープの長さが配管の周長よりも少し長い長さ以上に長い場合には、漏れ検査用テープを不要な部分を切断して使用することになる。そして、このように不要であるとして切断されるテープ部分は、使用できないほど短いものとなって使用せずに廃棄されることが多いものであり、漏れ検査用テープの無駄を生じる虞がある。
【０００８】
ちなみに、配管の周長よりもかなり長い漏れ検査用テープをそのまま配管に巻き付けるように貼付すると、漏れ検査用テープが重なる部分が多い形態で貼付されるものとなり、そして、その重なる部分では、下側のテープ部分が液漏れにて視覚的変化を起こしても上側のテープ部にてその視覚変化を外部より読み取りことができないものとなり、検査を適切に行い難いものとなる。
【０００９】
また、上記とは逆に、周長が大きな大径の配管の漏れ検査において、漏れ検査用テープの長さが配管の周長よりも少し長い適正な長さよりも短い場合には、漏れ検査用テープを全周に亘って巻きつけることができず、つまり、漏れ検査用テープを巻き付けることができない部分が存在して、配管の全周の漏れを適切に検出し難いものとなり、また、テープの両端部が少し重ねられた丈夫な貼付形態で漏れ検査用テープを貼付できないものとなるため、漏れ検査用テープが剥がれて所望の検査を行い難いものとなる虞があった。
【００１０】
ちなみに、このような場合には、漏れ検査用テープを複数用いること、つまり、複数の漏れ検査用テープを継ぎ足す形態で貼付することも考えられるが、複数の検査用テープを継ぎ足す形態で貼付する作業が面倒なものとなる不利があるばかりでなく、継ぎ足した複数の漏れ検査用テープの全長が、配管の周長よりも少し長い適正な長さよりも長すぎるものとなって、上記した周長が小さな小径の配管の漏れ検査の場合と同じように、不要な部分を切断する無駄を生じる虞がある。
【００１１】
上記の配管の漏れ検査の説明から明らかなように、漏れ検査用テープを貼付すべき長さは漏れ検査対象箇所によって変動するものであるが、従来の漏れ検査用テープは一定の長さの短尺状に構成されているため、漏れ検査を適切に行えるように貼付し難い虞や、不要な部分を切断して使用しなければならない無駄を生じる虞があるものであった。
【００１２】
本発明の目的は、液漏れ検査を適切に行えしかも無駄なく使用することが可能な漏れ検査用テープを提供する点にある。
【課題を解決するための手段】
【００１３】
本発明の漏れ検査用テープの第１特徴構成は、繰り出し自在に巻き取られ且つ切断自在な長尺状のテープ本体の内面側が、測定対象物に貼り付け可能な粘着性を備え、そのテープ本体を測定対象物に貼り付けた状態において測定対象物からの液体による濡れにより視覚的変化を生じ且つその視覚的変化を外部から読み取り可能な視覚的変化部が、前記テープ本体に設けられている点にある。
【００１４】
すなわち、液漏れ検査を行うときには、繰り出し自在に巻き取られているテープ本体を測定対象物における貼付すべき検査対象箇所に合わせて切断し、その切断したテープ本体を検査対象箇所に貼付する。そして、視覚的変化部が測定対象物からの液体による濡れにより視覚的変化を起こすか否かを外部より読み取り、視覚的変化を起こせば漏れであると判断でき、視覚的変化を起こさなければ、漏れが無いと判断できるのである。
【００１５】
そして、上記の如く漏れ検査用テープつまりテープ本体を貼付すべき検査対象箇所に合わせて切断して使用できるため、液漏れ検査を適切に行えしかも無駄なく使用できるものとなる。
測定対象物として配管を例に挙げて説明を加えると、漏れ検査用テープを配管の周長よりも少し長く切断して、配管の全周を覆い且つテープ一端部が先に配管に貼付されたテープ他端部に少し重なるように貼付するようにする形態にすることにより、配管の全周の漏れを適切に検出でき、しかも、漏れ検査用テープが配管から剥がれ難いものとなってこの面からも適切な漏れ検査を行えるのであり、もちろん、繰り出し自在に巻き取られているテープ本体のうちの必要な長さ部分だけを切断するものであるため、廃棄する等の無駄な部分を生じることを少なくできるのである。
【００１６】
したがって、液漏れ検査を適切に行えしかも無駄なく使用できる漏れ検査用テープを提供できるに至った。
【００１７】
本発明の漏れ検査用テープの第２特徴構成は、第１特徴構成に加えて、前記視覚的変化部が、液体による濡れにより視覚的変化を生じる紙片を、前記テープ本体の内面側にテープ本体長手方向に間隔を隔てて備えさせることにより構成され、前記テープ本体が、前記紙片の視覚的変化を外部から透視可能に構成されている点を特徴とする。
【００１８】
すなわち、視覚的変化部が、テープ本体の内面側に備えられて、液体による濡れにより視覚的変化を生じる紙片を用いて構成されることになり、液体による濡れにより視覚的変化を生じる紙片としては、吸水性を備えそしてその吸水により視覚的変化を生じる安価な紙を用いることができる。
【００１９】
しかも、視覚的変化部が、前記紙片をテープ本体の長手方向に間隔を隔てて構成されるものであるから、隣接する紙片の間に粘着部を存在させることができるものとなるのであり、この隣接する紙片の間に粘着部が存在するから、漏れ検査用テープつまりテープ本体を測定対象物に貼付したときに、剥がれ難いようにすることができる。特に、テープ本体を切断するときに、隣接する紙片の間の粘着部にて切断するようにすれば、つまり、切断したテープ本体の端部に粘着部が存在するようにすれば、測定対象物としての配管に貼付するときにも剥がれ難いように貼付することができる。
【００２０】
したがって、安価な紙を用いて構成できる紙片にて視覚的変化部を構成することによって低廉化を図ることができ、しかも、隣接する紙片の間に粘着部を存在させることによって剥がれ難いように貼付することができるものとなる、製造面及び使用面において有利な漏れ検査用テープを提供できるに至った。
【００２１】
本発明の漏れ検査用テープの第３特徴構成は、第２特徴構成に加えて、前記紙片に対してテープ本体長手方向に隣接する位置に、前記紙片が濡れて視覚的変化を生じる前の視覚的特性と同じ視覚的特性を備える比較判断部を、前記紙片が濡れて視覚的変化を生じても視覚的変化を生じない状態で備えさせてある点を特徴とする。
【００２２】
すなわち、漏れ検査用テープつまりテープ本体を測定対象物に貼付して漏れ検査を行う際に、視覚的変化部の視覚的変化を外部から読み取るときに、その視覚的変化を比較判断部と比較しながら読み取ることができるものとなり、視覚的変化部の視覚的変化の読み取りを間違いなく行い易いものとなる。
したがって、視覚的変化部の視覚的変化の読み取りを間違いなく行い易いものとなり、液漏れ検査を一層良好に行える漏れ検査用テープを提供できるに至った。
【発明を実施するための最良の形態】
【００２３】
以下、本発明の実施形態を図面に基づいて説明する。
図１に示すように、保持体Ｈは、その一端に保持部３を備え、その他端に切断部４を備えて構成されている。
漏れ検査用テープＴは、図２及び図３にも示すように、繰り出し自在に巻き取られ且つ切断自在な長尺状のテープ本体６の内面側が、測定対象物に貼り付け可能な粘着性を備えている。視覚的変化部９及び比較判断部８が、前記テープ本体６に設けられ、そのテープ本体６を測定対象物に貼り付けた状態において視覚的変化部９及び比較判断部８の視覚的特性を外部から読み取り可能にしてある。
【００２４】
そして、前記漏れ検査用テープＴは、その巻き取り部１が保持部３に軸芯５周りに回動自在に保持され、巻き取り部１から繰出された繰り出し部２が切断部に保持されるようになっている。繰り出し部２の端部を引っ張ることによって、巻き取り部１は、軸芯５の周りを回動し、必要な長さの漏れ検査用テープＴを繰り出し可能に構成され、必要な長さの漏れ検査用テープＴを繰り出した後で、漏れ検査用テープＴを漏れ検査用テープＴの長尺方向に交差する方向に設けられた切断部４に接触させることで、漏れ検査用テープＴを適切な長さで切断するよう構成されている。
【００２５】
尚、保持体Ｈは、漏れ検査用テープの横巾方向で、半割れ状態に分割されるよう構成され、巻き取り部１の残量が残り少なくなった時に、保持体Ｈを半割れ状態に分割し、巻き取り部１を交換した後に再び嵌合することで、漏れ検査用テープＴを交換可能にしてある。
【００２６】
前記視覚的変化部９について説明を加えると、視覚的変化部９として、測定対象物からの液体による濡れにより視覚的変化を生じる紙片を、前記テープ本体６の内面側にテープ本体６の長手方向に間隔を隔てて備えさせてある。尚、紙片９は、濡れると乾いているときよりも黒っぽくなるものである。
【００２７】
前記比較判断部８について説明を加えると、比較判断部８として、紙片９が濡れて視覚的変化を生じる前の視覚的特性と同じ視覚的特性を備え、紙片９が濡れて視覚的変化を生じても視覚的変化を生じないペンキを、前記テープ本体６の外面側に紙片９に対して長尺状のテープ本体６の長手方向に隣接する位置に塗布してある。
【００２８】
つまり、図２（イ）に示すように、互いに隣接した紙片９とペンキ８とが、同じ視覚的特性を備えた状態でテープ本体６に設けられ、紙片９が測定対象物からの液体による濡れにより視覚的変化を起こすことで、図２（ロ）に示すように、互いに隣接した紙片９とペンキ８とが、異なる視覚的特性を備えるよう構成されている。従って、漏れ検査用テープが測定対象物に貼り付けられた状態で、互いに隣接した紙片９とペンキ８とが同じ視覚的特性であれば漏れがないと判断でき、異なる視覚的特性であれば、漏れであると判断できる。
【００２９】
又、長尺状のテープ本体６における紙片９及びペンキ８の横外側に粘着部７ａが形成され、又、平面視において、紙片９とペンキ８との組が、長尺状のテープ本体６の長手方向に一定の間隔を隔てることで、紙片９とペンキ８との組の隣接するもの同士の間に前後側の粘着部７ｂが形成される。
【００３０】
漏れ検査用テープＴを使用する際、前後側の粘着部７ｂを二分するように切断することで、紙片９の周りに横外側の粘着部７ａ及び前後側の粘着部７ｂが形成され、剥がれ難く、適切に漏れ検査用テープＴを使用することが可能となる。この際、液体による漏れがテープ本体６の内面側に設けられた紙片９に到達し易いように、紙片９の横外側に位置するテープ部分の巾を狭くするようにしてある。
【００３１】
図４及び図５に基づいて、液漏れ検査の実例を説明すると、水が貯められたタンク部１０と、管部１２とをつなぐ継ぎ目部１１に近接する箇所に、管部１２に巻きつける形で漏れ検査用テープＴを備えさせてある。継ぎ目部１１から水漏れが生じた際、漏出された水は、管部１２を伝って継ぎ目部１１に近接する漏れ検査用テープＴに達し、テープ本体６と管部１２の間に存在する紙片９が水による濡れにより視覚的変化を生じさせることで、水漏れ検査を行なうことができる。
【００３２】
説明を加えると、漏れ検査用テープＴは、図５に示すように、管部１２に巻きつけた状態で貼着され、且つ、漏れ検査用テープＴの端部同士が重なり、重なり部１３を生じるように貼着されている。継ぎ目部１１から水漏れが生じた状態において、管部１２に巻きつけた状態で貼着された漏れ検査用テープＴの粘着部７の管部１２に対する粘着性が弱まったとしても、重なり部１３における漏れ検査用テープＴ同士の粘着性により、漏れ検査用テープが配管から剥がれにくく、より適切に液漏れ検査を行えるものとなる。
【００３３】
〔別実施形態〕
上記実施形態では、濡れ検査用テープＴを保持体Ｈに保持させて使用する形態を例示したが、保持体Ｈに保持させずに使用するようにしてもよい。
【００３４】
上記実施形態では、測定対象物として、水が貯められたタンク部１０に接続された管部12を例示したが、種々の配管類や器具類を測定対象物として、液体としてのオイル、灯油、アルコール等の液漏れ検査に漏れ検査用テープＴを使用できるものである。
【００３５】
図６に示すように、視覚的変化部としての紙片９をテープ本体６に備えさせるに、紙片９を長尺状に形成して、テープ本体６の長手方向に沿って連続して位置するように備えさせてもよい。この場合には、紙片９の両側に位置するテープ本体部分の粘着性により、測定対象物に貼り付けられることになる。
【００３６】
上記実施形態の如く、紙片９をテープ本体Ｔの長手方向に間隔を隔てて備えさせる場合には、紙片９をテープ本体Ｔの横幅と同幅となる状態で設けて、液が紙片９に到達し易いようにしてもよい。
【００３７】
テープ本体Ｔの内面側に粘着性を備えさせるに、テープの横縁部に開口する溝状の非粘着部を適宜設けて、液が紙片９に到達し易いようにしてもよい。
【００３８】
比較判断部８は、紙片９のテープ長手方向に隣接する位置に設けるに代えて、紙片９の横側に位置させても良く、その設置位置は適宜変更できる。
【００３９】
視覚的変化部９としては、紙片に限るものではなく、例えば、テープ本体Ｔを通気性フィルムにて構成して、その上面側に色調の濃い着色層を設け、その着色層の上側に濡れると透明になり乾燥すると不透明になる白色層を設けて、液漏れにより白色層が透明になるに伴って着色層が見えることになるように構成する等、種々の形態のものが使用できる。
【図面の簡単な説明】
【００４０】
【図１】保持体及び漏れ検査用テープの斜視図
【図２】漏れ検査用テープの平面図
【図３】漏れ検査用テープの縦断面図
【図４】液漏れ検査の実例を示す正面図
【図５】漏れ検査用テープの貼着形態を示す横断面図
【図６】別実施形態の漏れ検査用テープの平面図
【符号の説明】
【００４１】
Ｈ      保持体
Ｔ      漏れ検査用テープ
１      巻き取り部
２      繰り出し部
３      保持部
４      切断部
５      軸芯
６      テープ本体
７      粘着部
７ａ    外側の粘着部
７ｂ    前後側の粘着部
８      比較判断部
９      視覚的変化部
１０    タンク部
１１    継ぎ目部
１２    管部
１３    重なり部
【図１】
2005055275.tif 000003
【図２】
2005055275.tif 000004
【図３】
2005055275.tif 000005
【図４】
2005055275.tif 000006
【図５】
2005055275.tif 000007
【図６】
2005055275.tif 000008